(57)【要約】  １回の装着で所定の位置に左右対称にバストに正確に貼り付けることが出来る位置決めマーク付き粘着式ブラジャーを提供する。  位置決めマーク付き粘着式ブラジャー（Ａ）は、バスト（Ｂ）を覆う左右一対のカップ本体（１）と、カップ本体（１）の内面に設けられ、カップ本体（１）をバスト（Ｂ）に粘着する粘着層（２）と、カップ本体（１）の胸元側先端部（３）に設けられ、左右のカップ本体（１）を脱着可能に係止する雌・雄側ホック（４ａ，４ｂ）とで構成されている。乳頭（Ｎ）を当接する部位となる乳頭当接マーク（６）がカップ本体（１）の内面又は外面に設けられている。乳頭当接マーク（６）を基準に装着すれば、誰でも１度の装着で粘着式ブラジャー（Ａ）をバスト（Ｂ）にきれいに対称に装着することが出来る。
2017145191.tif 000002
【特許請求の範囲】
【請求項１】
バストを覆う左右一対のカップ本体と、  カップ本体の内面に設けられ、カップ本体をバストに粘着する粘着層と、  カップ本体の胸元側先端部に設けられ、左右のカップ本体を脱着可能に掛止する雌・雄側ホックとで構成され、  乳頭を当接する部位となる乳頭当接マークがカップ本体の内面又は外面に設けられていることを特徴とする位置決めマーク付き粘着式ブラジャー。 
【請求項２】
粘着層を設けた部分に乳頭当接マークを設けたことを特徴とする請求項１に記載の粘着式ブラジャー。 
【請求項３】
カップ本体の内面又は外面に乳頭当接マークと異なる位置に装着方向調整マークが更に設けられていることを特徴とする請求項１又は２に記載の粘着式ブラジャー。 
【請求項４】
装着方向調整マークが、雌・雄側ホックを掛止する前のカップ本体のバストへの装着状態で、カップ本体に対して縦方向に設けられた直線又は点線であることを特徴とする請求項３に記載の粘着式ブラジャー。 
【請求項５】
縦方向の装着方向調整マークが乳頭当接マークに一致して又はその横に近接して設けられていることを特徴とする請求項４に記載の粘着式ブラジャー。 
【請求項６】
装着方向調整マークが、雌・雄側ホックを掛止する前のカップ本体のバストへの装着状態で、カップ本体に対して横方向に設けられた直線又は点線であることを特徴とする請求項３に記載の粘着式ブラジャー。
【発明の詳細な説明】
【技術分野】
【０００１】  本発明は、一回の装着でバストに左右対称にカップを正確に貼り付けることが出来る位置決めマーク付き粘着式ブラジャーに関する。
【背景技術】
【０００２】  粘着式ブラジャーはバストにカップを直接貼り付けることが出来てストラップやサイドベルトが不要なため、ブラジャーを着用したまま肩や背中が露出する服を着ることができる。そのため、最近では新しいタイプのブラジャーとして大いに受け入れられ一般化している（特許文献１）。
【先行技術文献】
【特許文献】
【０００３】
【特許文献１】特開２０１１−９９１８４号公報
【発明の概要】
【発明が解決しようとする課題】
【０００４】  このような粘着式ブラジャーを着用する場合、鏡を見ながら左右のカップ本体を左右対象となるように注意してバストに貼り付け、貼り付け後、カップ本体を内側に引き寄せながらカップ本体の胸元側先端部に取り付けられたホックを掛止してバストに装着している。  処が、注意して左右対象となるように貼り付け、ホックを掛止すると微妙なズレに気付き、何度もやり直しを強いられるという事がある。【０００５】  本発明はこのような従来の粘着式ブラジャーの問題点に鑑みてなされたもので、誰でも１回の装着で所定の位置に左右対称にバストに正確に貼り付けることが出来る位置決めマーク付き粘着式ブラジャーを提供することを課題とする。
【課題を解決するための手段】
【０００６】  請求項１に記載した発明（位置決めマーク付き粘着式ブラジャーＡ）は、  バストＢを覆う左右一対のカップ本体１と、  カップ本体１の内面に設けられ、カップ本体１をバストＢに粘着する粘着層２と、  カップ本体１の胸元側先端部３に設けられ、左右のカップ本体１を脱着可能に掛止する雌・雄側ホック４ａ・４ｂとで構成され、  乳頭Ｎを当接する部位となる乳頭当接マーク６がカップ本体１の内面又は外面に設けられていることを特徴とする。【０００７】  これにより乳頭当接マーク６を目印にしてカップ本体１をバストＢに貼り付ければ、１回の装着で左右対称に貼り付けることが出来る。【０００８】  請求項２に記載した発明は、請求項１に記載の発明において、粘着層２を設けた部分に乳頭当接マーク６を設けたことを特徴とする。【０００９】  粘着層２に乳頭当接マーク６を設けておけば、乳頭当接マーク６を目印にしてカップ本体１をバストＢに貼り付ける際に、カップ本体１を乳頭Ｎに仮止めでき、鏡を見ながら仮止め部分を中心にカップ本体１を回転させることが出来、先に装着した一方のカップ本体１に対して他方のカップ本体１を対称に簡単に装着できる。【００１０】  請求項３に記載した発明は、請求項１又は２に記載の発明において、カップ本体１の内面又は外面に乳頭当接マーク６と異なる位置に装着方向調整マークＭが更に設けられていることを特徴とする。【００１１】  乳頭当接マーク６と異なる位置に装着方向調整マークＭを設けることで、カップ本体１を乳頭Ｎに仮止めしておき、装着方向調整マークＭを垂直又は水平と言うように何らかの基準に沿わせることでカップ本体１をバストＢの所定位置に簡単に貼り付けることが出来る。そして、もう一つのカップ本体１に装着に際して、先に装着した一方のカップ本体１に対して他方のカップ本体１の装着方向調整マークＭが対称位置に来るように貼り付ければ簡単に対称に装着できる。この場合、装着方向調整マークＭをカップ本体１の外面に設けておけば鏡を見ながら調整しつつ装着できるのでより便利である。  なお、「乳頭当接マーク６と異なる位置」とは、装着方向調整マークＭが「点」又は「リング」のような場合、「乳頭当接マーク６」から外れた位置を意味し、装着方向調整マークＭが「線」の場合には、「乳頭当接マーク６」から外れた位置に設ける場合と、「乳頭当接マーク６」を通過してその外側まで食み出る場合の両方を含む。【００１２】  請求項４に記載した発明は、請求項３に記載の発明において、装着方向調整マークＭが、雌・雄側ホック４ａ・４ｂを掛止する前のカップ本体１のバストＢへの装着状態で、カップ本体１に対して縦方向に設けられた直線又は点線であることを特徴とする。ここで「カップ本体１に対して縦方向に設けられた直線又は点線」とは、カップ本体１を上から見下ろした目線Ｌを基準として目線Ｌ上の上下方向のラインを言う。【００１３】  装着方向調整マークＭが縦方向の直線又は点線である場合、装着時にまず乳頭当接マーク６を目印にしてカップ本体１をバストＢに仮止めし、この状態で上から見て或いは鏡を見ながら装着方向調整マークＭが縦線となるように回転させて調整するとカップ本体１をバストＢに正確に貼り付けることが出来る。これを���側で行えば、カップ本体１をバストに１回で自動的に対称に貼り付けることが出来る。【００１４】  請求項５に記載した発明は、請求項４に記載の発明において、縦方向の装着方向調整マークＭが乳頭当接マーク６に一致して又はその横に近接して設けられていることを特徴とする。【００１５】  この場合、乳頭Ｎを乳頭当接マーク６に合わせる目線Ｌと縦方向の装着方向調整マークＭを上から見る目線Ｌとが一致するため素早い位置合わせが可能となる。【００１６】  請求項６に記載した発明は、請求項３に記載の発明において、装着方向調整マークＭが、雌・雄側ホック４ａ・４ｂを掛止する前のカップ本体１のバストＢへの装着状態で、カップ本体１に対して横方向に設けられた直線又は点線であることを特徴とする。【００１７】  装着方向調整マークＭが横方向の直線又は点線である場合、装着時にまず乳頭当接マーク６を目印にしてカップ本体１をバストＢに仮止めし、この状態で上から見て或いは鏡を見ながら装着方向調整マークＭが水平となるように調整するとカップ本体１をバストＢに正確に貼り付けることが出来る。これを両側で行えば、カップ本体１をバストに１回で自動的に対称に貼り付けることが出来る。  水平位置合わせの場合、例えば、横方向の装着方向調整マークＭがカップ本体１の外面に設けられている場合、鏡の下辺に装着方向調整マークＭを合わせればより正確な装着が可能となる。
【発明の効果】
【００１８】  これによれば、１度の装着で粘着式ブラジャーＡをバストＢにきれいに対称に装着することが出来る。
【図面の簡単な説明】
【００１９】
【図１】本発明の図１２に示すカップ本体を乳頭に仮止めした状態を示す正面図である。
【図２】図１の一方のカップ本体をバストに貼り付けた状態の拡大正面図である。
【図３】図１の粘着式ブラジャーをバストに装着した状態の正面図である。
【図４】本発明の図１３に示すカップ本体を乳頭に仮止めした状態を示す正面図である。
【図５】図４の一方のカップ本体をバストに貼り付けた状態の拡大正面図である。
【図６】図４の粘着式ブラジャーをバストに装着した状態の正面図である。
【図７】本発明の図１４に示すカップ本体を乳頭に仮止めした状態の正面図である。
【図８】本発明の第１実施例の背面図である。
【図９】本発明の第２実施例の背面図である。
【図１０】本発明の第３実施例の背面図である。
【図１１】本発明の第４実施例の背面図である。
【図１２】本発明の第５実施例の背面図である。
【図１３】本発明の第６実施例の背面図である。
【図１４】本発明の第７実施例の背面図である。
【図１５】本発明の第８実施例の背面図である。
【図１６】図１のＸ−Ｘ切断端面図である。
【図１７】図１６の他の切断端面図である。
【発明を実施するための形態】
【００２０】  以下、本発明を図示実施例に従って詳述する。左右のカップ本体１は対称形で、発泡ポリウレタン、発泡ポリエステルや発泡ポリエチレン製の芯材１ａの外側面に織布１ｂが貼着され、金型成形で椀状に形成された後、内側面（裏面側）にはシリコン樹脂が塗布され、シリコン樹脂系の粘着層２が形成されている。  本発明のカップ本体１の形状は、図１のような細長い椀型或いは図４のように上辺５の一部が凹んだ、例えばリーフ形その他様々な形のものがある。カップ本体１の略三角形に形成された胸元側先端部３に雌・雄側ホック４ａ・４ｂがそれぞれ取り付けられている。
【００２１】  図１のカップ本体１の形状は、上辺５全長が上に凸湾曲し、下辺７全長が下に凸湾曲した略長円形で、下辺７の凸湾曲がバストＢの下部を包み込めるように上辺５より大きく湾曲している。  これに対して図４のカップ本体１の上辺５は波形に形成されており、図５に示すように上辺５の上辺中央部５ａと雌・雄側ホック４ａ・４ｂとの間の上辺内側部５ｂが上方（外側）になだらかに膨出するように湾曲し、上辺中央部５ａと該カップ本体１の外側端部８との間の上辺外側部５ｃが下辺７側になだらかに抉られた湾曲状を呈する。そしてこの場合、上側に湾曲している上辺内側部５ｂの部分に乳頭Ｎが位置するようになっている。これに対して下辺７は下側に湾曲している。  カップ本体１の形状は、図１のような長円椀状、図４のような椀状リーフ形に限られるものでなく、上辺５及び下辺７が円弧状に外側に膨出する従来の貝殻形の粘着式ブラジャーも含まれる。以下、図１の長円椀状、及び図４のリーフ形の粘着式ブラジャーＡを中心に説明する。
【００２２】  カップ本体１は上記のような様々な形状を有するが、粘着式であるので背面には前述のように粘着層２が形成されるが、この粘着層２は上辺５と下辺７の内側端部の合流部分である略三角形の胸元側先端部３及び上辺５と下辺７の縁を除く背面全面に形成されることになる。  前記胸元側先端部３には、雄側又は雌側ホック４ａ・４ｂが取り付けられており、掛止することによって左右のカップ本体１を接続できるようになっている。
【００２３】  カップ本体１の胸元側先端部３に装着される雄側及び雌側ホック４ａ・４ｂは公知のもので、上記のように左右のカップ本体１を接続できるものであればどのようなものでもよいが、装着した時にアウターに響かないようなものが好ましい。
【００２４】  また、カップ本体１内に於いて、下辺７に沿って円弧状のワイヤ１１が埋設されている。ワイヤ１１は金属製でもよいし樹脂製でもよい。雌・雄側ホック４ａ・４ｂを掛止した際にバストＢの下部を包み込んで持ち上げるだけの強度があれば足る。下辺７の強度が十分高ければ、勿論、ワイヤ１１なしでもよい。
【００２５】  カップ本体１の下辺７に沿う部分はカップ本体１の内面側に若干膨れており、この部分を厚肉部分１２とする。この厚肉部分１２の下辺７側に前記ワイヤ１１が埋設されている。
【００２６】  そして、カップ本体１には乳頭Ｎを当接する乳頭当接マーク６、これに加えてカップ本体１の装着の助けとなる装着方向調整マークＭが設けられている。これを図８〜１５及びその切断端面図である図１６、１７に示す。
【００２７】  乳頭当接マーク６及び装着方向調整マークＭは、ストラップ及びサイドベルトがない粘着式ブラジャーＡをバストＢに１回で適切に装着するための目印で、装着時に該ブラジャーＡを装着しようとしている人が直接又は鏡を利用して間接的に容易に視認できればよい。従って、これらはカップ本体１の内面又は外面に設けられる。  また、粘着式ブラジャーＡをバストＢに１回で適切に装着するには、装着の基準が必要でバストＢの或る１点（本発明では乳頭Ｎ）を基準としている。  そして、該基準点（例えば、乳頭Ｎ）にカップ本体１の所定位置（乳頭当接位置）を毎回狂いなく合わせられるようにすれば足り、この位置に設けられるのが乳頭当接マーク６である。乳頭当接マーク６は図１のように２重丸、図８のように単なる丸、図示していないが点、低い凸リング、図１７のように凹みなど、乳頭当接位置が分かるようなものであれば足る。
【００２８】  図８（第１実施例）はカップ本体１の裏面の粘着層２に乳頭当接マーク６だけが設けられた例である。乳頭当接マーク６の位置は、上辺５側の粘着層２のコーナー部分、換言すれば、図８の場合、上辺５の上辺中央部５ａと雄側又は雌側ホック４ａ・４ｂとの間に位置するなだらかな上辺内側部５ｂが前述の乳頭Ｎを当接する部位となり、この部分に乳頭当接マーク６が描かれている。  なお、乳頭当接マーク６と装着方向調整マークＭはカップ本体１の内面又は外面に設けられるが、内面の場合、視認しやすいように後述する粘着層２の色と異なる色で表すことが好ましいし、外面の場合、外面に貼られた織布１ｂと異なる色で表すことが好ましい。その他の表示方法として、線で記載する他、低い凸条又は浅い凹溝でもよい。  図８に於いて、乳頭当接マーク６は図１の椀状長円カップ本体１の場合、同等の位置であるが、上辺５の上辺中央部５ａを越えた雌・雄側ホック４ａ・４ｂ側に設けられることになる。
【００２９】  図９〜１１（第２〜４実施例）は、装着方向調整マークＭが点で示される場合である。装着方向調整マークＭの位置は、上記のように上から見た場合にカップ本体１が乳頭Ｎを中心に適切な方向に貼り付けられるようにするためのものであるから、カップ本体１の装着方法によって装着方向調整マークＭの位置は異なる。
【００３０】  図９のカップ本体１は、図１に示すようにカップ本体１をバストＢに水平に装着する場合で、装着方向調整マークＭの位置は、この実施例では、カップ本体１を水平にした場合、乳頭当接マーク６の直下に設けられる。換言すれば、図３に示すように雌・雄側ホック４ａ・４ｂを掛止し、左右のカップ本体１の下辺７に接する水平線Ｓ３に対して乳頭当接マーク６を通る垂直な直線Ｈ１上に装着方向調整マークＭが設けられる。
【００３１】  図１０のカップ本体１は、図４に示すようにカップ本体１をバストＢに対して大きく傾けて装着する場合で、装着方向調整マークＭの位置は、水平線Ｓ３に対して角度α（α＝２０〜４０°）に傾けた乳頭当接マーク６を通る直線Ｈ２上に装着方向調整マークＭが設けられる。この場合、装着方向調整マークＭは、粘着剤非塗布部分９で雌・雄側ホック４ａ・４ｂの近傍に設けられる。
【００３２】  図１１のカップ本体１は、図９と同様、図１に示すようにカップ本体１をバストＢに水平に装着する場合で、装着方向調整マークＭの位置は、この実施例では、カップ本体１を水平にした場合、乳頭当接マーク６の横に設けられる。水平線Ｓ３に平行で乳頭当接マーク６を通る直線Ｈ３上に装着方向調整マークＭが設けられる。
【００３３】  図１２〜１５では、装着方向調整マークＭが直線（図示しないが、破線その他も含まれる。）で示される場合で、図１２は前述の直線Ｈ１上に、或いはこれと並行な縦線で表される。図は、乳頭当接マーク６と一致する位置又はその横に設けられている。図示していないが、乳頭当接マーク６から離れた位置に設けてもよい。
【００３４】  図１３は装着方向調整マークＭがカップ本体１の内面側に設けられた斜線Ｈ２で示される場合で、斜線Ｈ２の実線は乳頭当接マーク６に近接した位置に設けられ、２点鎖線は離れた位置に設けられる。斜線Ｈ２と水平線Ｓ３とは２０〜４０°の角度で交わっている。図１３の２点鎖線で示す装着方向調整マークＭは乳頭当接マーク６から離れている場合で、カップ本体１の外側端部８から下辺中央部７ａに伸びるように設けられている。
【００３５】  図１４は装着方向調整マークＭが水平線Ｓ３に対して平行に設けられている場合で、この場合、装着方向調整マークＭは目視する上でカップ本体１の外面に設けることが好ましい。図では、装着方向調整マークＭは、カップ本体１の背面に設けられた乳頭当接マーク６を通るように設けられているが、別段これに限られることはない。
【００３６】  図１５はカップ本体１を傾斜させて装着する場合で、装着方向調整マークＭが水平線Ｓ３に対して前述同様２０〜４０°の角度で交わっている。この場合も装着時、装着方向調整マークＭを水平に設置することになる。  装着方向調整マークＭは目視の関係からカップ本体１の外面に設けることが好ましい。装着方向調整マークＭを外面に設けた場合、内面に設ける場合とは逆で、下辺７の中央方向に傾く。
【００３７】  カップ本体１の内側面に形成された粘着層２は、乳頭当接マーク６を含む上辺内側部５ａから下辺７に向かって直線的に下がり、下辺７に至る直線１０からカップ本体１の外側端部８に至る全面に縁を残して塗着されており、従って、前記直線１０からカップ本体１の胸元側先端部３の間の三角形の部分が粘着剤非塗布部分９となっている。なお、粘着層２は粘着性の高いシリコン樹脂が使用される。
【００３８】  次に、本発明の粘着型ブラジャーＡの装着方法について説明する。粘着型ブラジャーＡには、例えば、大中小と言うようにバストＢの大きさに合わせたサイズがあり、粘着型ブラジャーＡの装着方向も図１のようにカップ本体１を単に水平に貼り付ける場合と、図４に示すように傾けて貼り付ける場合など様々な装着法があり、使用者のバストＢに適したサイズと装着方法が選択される。
【００３９】  まず、図８に示すような第１実施例のカップ本体１の装着方法について説明する。装着方法については図１〜３及び図４〜６を参照しながら説明する。  まず、一方の乳頭Ｎに一方のカップ本体１の乳頭当接マーク６を合わせて乳頭Ｎを当該部分の粘着層２に仮点粘着する。この場合、装着方向調整マークＭが存在しないので、鏡を見ながら図２に示すようにカップ本体１を水平に、或いは図５のように傾斜させて貼り付ける。
【００４０】  次に、同様に他方の乳頭Ｎに他方のカップ本体１の乳頭当接マーク６を合わせて乳頭Ｎを当該部分の粘着層２に仮点粘着する。この状態で、鏡を見ながら左右対称になるよう乳頭Ｎを回転中心としてカップ本体１を少し回転させ、対称となった処で同様に貼り付ける。  水平に貼り付ける場合は、カップ本体１の外側端部８近辺は脇まで粘着し、傾斜させて貼り付ける場合は、カップ本体１の外側端部８近辺は腋の下まで粘着する。  乳頭当接マーク６はカップ本体１の内面又は外面に設けることが出来るが、この時、内面の方が位置合わせしやすい。  粘着された左右のカップ本体１はその上辺５、乳頭Ｎの位置及び下辺７に於いて水平線Ｓ１〜Ｓ３に一致した状態となる（図１）。
【００４１】  図１又は４のように粘着させると、両側のカップ本体１をバストＢの中心方向に寄せ、雌・雄側ホック４ａ・４ｂを掛止する。これにより雌・雄側ホック４ａ・４ｂが左右のカップ本体１を内側に引っ張るので、バストＢと共にカップ本体１は内側に寄せられ、ボリューム豊かな谷間がバストＢの間に形造られる。またこの時、カップ本体１の外側端部８近辺に粘着した当該部分の脇部分、或いは腋の下の部分も同時に引っ張られて内側に寄せられので、バストＢのボリュームアップが図られる。  そして、カップ本体１の下辺７に沿う部分はカップ本体１の他の部分に比べて肉厚に形成されているので、この肉厚部分１２がバストＢの下側を上方に押し上げ、バストＢのデコルテラインＤのボリュームアップが図られる。  カップ本体１が図６のようなリーフ形の場合、内側に寄せられ且つ上に押し上げられたバストＢの一部が上辺外側部５ｃから押し出されてバストＢのボリュームアップがより大きくなる。  装着後も左右のカップ本体１はその上辺５、乳頭Ｎの位置及び下辺７に於いて水平線Ｓ１〜Ｓ３に一致した状態となる（図３）。
【００４２】  以上のようにこの場合、乳頭当接マーク６が設けられているので、カップ本体１をバストＢに貼り付けるに当たって正確に乳頭Ｎにカップ本体１の所定の位置（乳頭Ｎが接するべき位置）を固定できるので、バストＢへの取付位置のずれがない。ただし、装着方向調整マークＭが存在しないので、バストＢへのカップ本体１の貼り付け方向の調整に手間取ることになる。
【００４３】  これに対して、装着方向調整マークＭが設けられている場合には、装着方向調整マークＭを手掛かりにカップ本体１の装着方向の調整が簡単となる。以下、装着方向調整マークＭが設けられている場合に付いて説明する。乳頭Ｎへのカップ本体１の乳頭当接マーク６の仮点粘着までは同じであるので上記の説明を援用する。  一方のカップ本体１の仮点粘着が終わると、図９，１０，１２，１３及び１５の場合、この状態で図２又は４に示すようにカップ本体１を上から眺め、装着方向調整マークＭが直線状に見えるように乳頭Ｎを回転中心としてカップ本体１を少し回転させる。以下は、上記と同様である。  装着方向調整マークＭが乳頭当接マーク６に一致又は近接した位置に設けられている場合は、調整に目線Ｌを大きく動かさなくてよいので方向調整が早くできる（図２、４）。
【００４４】  図１１又は１４の場合、カップ本体１を単に水平に貼り付ける場合であるが、鏡を見ながら装着方向調整マークＭが水平となるように調整する。水平方向の調整方法としては、例えば、鏡の下辺に装着方向調整マークＭを合わせることによってより正確な装着が可能となる。この場合、装着方向調整マークＭはカップ本体１の外面に設けられていることが好ましい。
【００４５】  以上のように、本発明の粘着式ブラジャーＡには、乳頭当接マーク６又は乳頭当接マーク６と装着方向調整マークＭが設けられているので、これを頼りにバストＢに両側のカップ本体１を装着すれば、従来、適正位置で且つ左右対称に装着が困難であった粘着式ブラジャーでも僅か一回で左右対称で豊かな丸いバストＢと、当該バストＢ間に深い谷間が形成される装着が可能となる。
【符号の説明】
【００４６】Ａ：粘着式ブラジャー、Ｂ：バスト、Ｄ：デコルテライン、Ｈ１〜Ｈ３：直線（垂線、斜線）、Ｌ：目線、Ｍ：装着方向調整マーク、Ｎ：乳頭、Ｓ０〜Ｓ３：水平線、１：カップ本体、１ａ：芯材、１ｂ：織布、２：粘着層、３：胸元側先端部、４ａ：雄側ホック、４ｂ：雌側ホック、５：上辺、５ａ：上辺中央部、５ｂ：上辺内側部、５ｃ：上辺外側部、６：乳頭当接マーク、７：下辺、７ａ：下辺中央部、８：外側端部、９：粘着剤非塗布部分、１０：直線、１１：ワイヤ、１２：厚肉部分。
【図１】
2017145191.tif 000003
【図２】
2017145191.tif 000004
【図３】
2017145191.tif 000005
【図４】
2017145191.tif 000006
【図５】
2017145191.tif 000007
【図６】
2017145191.tif 000008
【図７】
2017145191.tif 000009
【図８】
2017145191.tif 000010
【図９】
2017145191.tif 000011
【図１０】
2017145191.tif 000012
【図１１】
2017145191.tif 000013
【図１２】
2017145191.tif 000014
【図１３】
2017145191.tif 000015
【図１４】
2017145191.tif 000016
【図１５】
2017145191.tif 000017
【図１６】
2017145191.tif 000018
【図１７】
2017145191.tif 000019
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
バストを覆う左右一対のカップ本体と、
カップ本体の内面に設けられ、カップ本体をバストに粘着する粘着層と、
カップ本体の胸元側先端部に設けられ、左右のカップ本体を脱着可能に係止する雌・雄側ホックとで構成され、
乳頭を当接する部位となる乳頭当接マークがカップ本体の内面又は外面に設けられ、
カップ本体の内面又は外面に装着方向調整マークが更に設けられている位置決めマーク付き粘着式ブラジャーにおいて、
装着方向調整マークが、雌雄側ホックを掛止する前のカップ本体のバストへの装着状態で、カップ本体に対して縦方向又は横方向に設けられた直線又は点線であることを特徴とする位置決めマーク付き粘着式ブラジャー。
【請求項２】
粘着層を設けた部分に乳頭当接マークを設けたことを特徴とする請求項１に記載の粘着式ブラジャー。
【請求項３】
カップ本体の内面又は外面に乳頭当接マークと異なる位置に装着方向調整マークが設けられていることを特徴とする請求項１又は２に記載の粘着式ブラジャー。
【請求項４】
（削除）
【請求項５】
縦方向の装着方向調整マークが乳頭当接マークに一致して又はその横に近接して設けられていることを特徴とする請求項１に記載の粘着式ブラジャー。
【国際調査報告】
2017145191.tif 000020
2017145191.tif 000021
2017145191.tif 000022
2017145191.tif 000023